(57)【要約】  前面にオリフィス９が着脱可能に装着され、風路を形成する筒型で金属製の本体枠１と、電動機２と羽根３を有し、本体枠１に取り付けられた送風機３０と、少なくとも送風機３０を運転／停止させるためのスイッチ１０が収納されて本体枠１に取り付けられた難燃性樹脂製のスイッチケース１１と、スイッチケース１１を覆う板金製の前カバー１２および板金製の後カバー１３と、を備えることで、延焼防止の信頼性を高め、安全性を向上させる。
2013153574.tif 000002
【特許請求の範囲】
【請求項１】
風路を形成する筒型の本体枠と、
電動機と羽根を有し、前記本体枠に取り付けられた送風機と、
少なくとも前記送風機を運転／停止させるためのスイッチが収納されて前記本体枠に取り付けられたスイッチケースと、
前記スイッチケースを覆うカバーと、
を備えることを特徴とする換気扇。
【請求項２】
前記本体枠は、金属で構成されて前面にフランジを有し、
前記カバーは、前記スイッチケースを前面側から覆う板金製の前カバーと、該スイッチケースの側面、背面を覆う板金製の後カバーとで形成されており、
前記スイッチケースは、前記フランジにおける下方のコーナー部に固定されて、前側が、前記前カバーと前記フランジの前記コーナー部により、また後側が、前記後カバーと前記本体枠の前記コーナー部を形成する両壁面により、それぞれ覆われてなることを特徴とする請求項１記載の換気扇。
【請求項３】
前記スイッチケースには、前記前カバーを仮固定するための引掛け凸部が設けられていることを特徴とする請求項２記載の換気扇。
【請求項４】
前記電動機は、コンデンサ型電動機で構成され、
前記スイッチケースは、前記スイッチを収納するスイッチ収納部と、前記コンデンサを収納するコンデンサ収納部とで形成されていることを特徴とする請求項１乃至請求項３のいずれか一項に記載の換気扇。
【請求項５】
前記スイッチケースは、前記スイッチ収納部が、前記本体枠が据え付けられる壁面と平行となるように設定されていることを特徴とする請求項４記載の換気扇。
【発明の詳細な説明】
【技術分野】
【０００１】
本発明は、換気扇に関し、特にその電気部品取付構造に関する。
【背景技術】
【０００２】
従来、この種の換気扇では、送風機を運転／停止させるためのスイッチが難燃性樹脂で構成されるスイッチケースに収納されて、風路を形成する本体枠の前面下部に取り付けられるようになっている。また、スイッチの上下に突き出した可動レバーがスイッチケースの上下の壁部分に形成された解放部から引き出され、可動レバーの上端側が開閉シャッターの開閉機構に連結され、可動レバーの下端側に引き紐が連結されている。そして、垂下された引き紐の引張操作によって、送風機の運転、停止の切り換えが行われるようになっている（例えば、特許文献１参照）。
【先行技術文献】
【特許文献】
【０００３】
【特許文献１】実公平５−４８０１６号公報（第１図）
【発明の概要】
【発明が解決しようとする課題】
【０００４】
特許文献１の換気扇においては、送風機を運転／停止させるためのスイッチが難燃性樹脂で構成されるスイッチケースに収納されているだけなので、延焼防止という観点から見ると充分ではなかった。【０００５】
本発明は、前記のような課題を解決するためになされたもので、送風機を運転／停止させるためのスイッチを収納するスイッチケースの延焼防止の信頼性や安全性の確保が容易な換気扇を得ることを目的とする。
【課題を解決するための手段】
【０００６】
本発明に係る換気扇は、風路を形成する筒型の本体枠と、電動機と羽根を有し、本体枠に取り付けられた送風機と、少なくとも送風機を運転／停止させるためのスイッチが収納されて本体枠に取り付けられたスイッチケースと、スイッチケースを覆うカバーと、を備えるものである。
【発明の効果】
【０００７】
本発明に係る換気扇においては、送風機を運転／停止させるためのスイッチが収納されて本体枠に取り付けられるスイッチケースをカバーで覆っているので、延焼防止の信頼性が高まり、安全性が向上する。
【図面の簡単な説明】
【０００８】
【図１】本発明の実施形態に係る換気扇の設置状態を示す分解斜視図である。
【図２】本発明の実施形態に係る換気扇のスイッチ部の構成を示す分解斜視図である。
【図３】本発明の実施形態に係る換気扇のスイッチ部の組立体の構成を示す斜視図である。
【図４】本発明の実施形態に係る換気扇のスイッチケースとコンデンサの関係を示す分解斜視図である。
【図５】本発明の実施形態に係る換気扇のスイッチ部を本体枠に取り付ける前の状態を示す斜視図である。
【図６】本発明の実施形態に係る換気扇のスイッチ部を本体枠に取り付けた状態を示す斜視図である。
【図７】本発明の実施形態に係る換気扇のスイッチ部を後ろ側から見た状態を示す斜視図である。
【発明を実施するための形態】
【０００９】
以下に、図示実施形態により本発明に係る換気扇について説明する。なお、以下の実施形態により本発明が限定されるものではない。
【００１０】
図１は本発明の実施形態に係る換気扇の設置状態を示す分解斜視図である。
本発明の実施形態に係る換気扇は、図１のように室内と室外をつなぐ風路を形成する方形筒型の金属製本体枠（以下、本体枠という）１が壁面１００の開孔部に据付られている。本体枠１の内部には、ファンベース３１を介して送風機３０のコンデンサ型電動機（以下、電動機という）２が取り付けられ、電動機２の出力軸に、送風機３０の羽根３とスピンナー４が着脱自在に取り付けられるようになっている。また、本体枠１の前面（室内側）には、周縁部に壁面１００に対する位置決め機能を持つフランジ１ａが形成されているとともに、風洞となる樹脂製のオリフィス９が着脱自在に取り付けられている。また、本体枠１の背面（室外側）には、運転停止時の外気の流入防止、光の差し込み及び漏れ防止用の複数のシャッター６が設けられている。これらシャッター６は、連結板７を介してスイッチ部８と連動するように構成されている。
【００１１】
図２は本発明の実施形態に係る換気扇のスイッチ部の構成を示す分解斜視図である。
図２に示すように、スイッチ部８は、送風機３０を運転／停止させるためのスイッチである引き紐スイッチ１０と、引き紐スイッチ１０が収納される難燃性樹脂製のスイッチケース１１と、スイッチケース１１を覆う金属製のカバー、すなわち板金製の前カバー１２及び板金製の後カバー１３とを備えている。前カバー１２は、スイッチケース１１を前面側から覆うもので、当該前カバー１２に設けられた取り付け穴１２ａにスイッチケース１１に設けられた引掛け凸部となる突起部１１ａを嵌合させることで、スイッチケース１１に仮固定できるようになっている。後カバー１３は、スイッチケースの側面、背面を覆うものである。
【００１２】
図３は本発明の実施形態に係る換気扇のスイッチ部の組立体の構成を示す斜視図である。
図３に示すように、引き紐スイッチ１０と後カバー１３とは、スイッチケース１１に設けられたスイッチ用ねじ穴１１ｂとカバー用ねじ穴１１ｃとにそれぞれねじ固定される。
【００１３】
図４は本発明の実施形態に係る換気扇のスイッチケースとコンデンサの関係を示す分解斜視図である。
図４に示すように、スイッチケース１１は、引き紐スイッチ１０を収納するスイッチ収納部１１ｄと、電動機２を駆動させることを目的としたコンデンサ１４を収納するコンデンサ収納部１１ｅとを有している。コンデンサ１４は、コンデンサ収納部１１ｅに設けられたコンデンサ収納スペース１１ｆに収納される。また、スイッチケース１１は、ヒンジ部１１ｇと凸部１１ｉと爪部１１ｈとを有しており、ヒンジ部１１ｇを折り曲げ、爪部１１ｈと凸部１１ｉとを互いに係合させることで、組み立てられる構造となっている。
【００１４】
図５は本発明の実施形態に係る換気扇のスイッチ部を本体枠に取り付ける前の状態を示す斜視図である
図５に示すように、スイッチ部８のスイッチケース１１には、凸部１６と取付穴１７が設けられている。一方、本体枠１のフランジ１ａには、下方のコーナー部にコーナーピース１５が設けられている。コーナーピース１５には、スイッチケース１１の凸部１６と係合可能な取付穴１５ａと、スイッチケース１１の取付穴１７をねじ止め可能なねじ穴１５ｂが設けられている。すなわち、スイッチ部８は、コーナーピース１５の取付穴１５ａに、スイッチケース１１の凸部１６を係合させ、さらにスイッチケース１１の取付穴１７をコーナーピース１５のねじ穴１５ｂにねじ止めすることで、取り付けられる構造となっている。
【００１５】
図６は本発明の実施形態に係る換気扇のスイッチ部を本体枠に取り付けた状態を示す斜視図である。
図６に示すように、スイッチ部８を本体枠１のフランジ１ａの下方のコーナー部のコーナーピース１５に固定することで、スイッチケース１１の前側は、前カバー１２とフランジ１ａのコーナー部（コーナーピース１５）により、またスイッチケース１１の後側は、後カバー１３と本体枠１の前記コーナー部を形成する両壁面すなわち側板部１８と底面部１９とにより、それぞれ囲われて覆われる構造となっている。
【００１６】
図７は本発明の実施形態に係る換気扇のスイッチ部を後ろ側から見た状態を示す斜視図である。
図７に示すように、スイッチケース１１のコンデンサ収納部１１ｅの側面部２０と底面部２１の部分は、図６のように本体枠１を板金カバーの一部として利用し、覆うようになっているため、後カバー１３で一様に覆う必要がなく、材料、部品点数を削減できる構造となっている。
【００１７】
なお、引き紐スイッチ１０の上下に突き出した可動レバー１０ａ，１０ｂは、スイッチケース１１の上下の側壁部分に形成された解放部から引き出され、可動レバー１０ａの上端側がシャッター６の開閉機構に連結され、可動レバー１０ｂの下端側に引き紐が連結される。
【００１８】
以上のように、本発明の実施形態に係る換気扇は、送風機３０を運転／停止させるための引き紐スイッチ１０が収納されて本体枠１に取り付けられた難燃性樹脂製のスイッチケース１１を、金属製のカバーすなわち板金製の前カバー１２と板金製の後カバー１３とで覆うようにしたので、延焼防止の信頼性が高まり、安全性が向上する。
【００１９】
また、本発明の実施形態に係る換気扇は、本体枠１のコーナー部を形成する側板部１８と底面部１９を、スイッチケース１１の後側をカバーするカバーの一部として利用したので、板金製のカバー材料の使用量、部品点数を削減することができた。
【００２０】
また、本発明の実施形態に係る換気扇は、前カバー１２に設けられた取り付け穴１２ａにスイッチケース１１に設けられた突起部１１ａを嵌合させることで、スイッチケース１１に仮固定できるようにしたので、スイッチケース１１と前カバー１２との組付が容易である。
【００２１】
また、本発明の実施形態に係る換気扇は、スイッチケース１１を、引き紐スイッチ１０を収納するスイッチ収納部１１ｄと、電動機２を駆動させることを目的としたコンデンサ１４を収納するコンデンサ収納部１１ｅとで形成したので、接続配線の引き回しが容易である。
【００２２】
また、本発明の実施形態に係る換気扇は、本体枠１のフランジ１ａのコーナーピース１５の取付穴１５ａに、スイッチケース１１の凸部１６を係合させ、さらにスイッチケース１１の取付穴１７をコーナーピース１５のねじ穴１５ｂにねじ止めすることで、スイッチ部８を取り付けるようにしている。このため、スイッチケース１１に収納されている引き紐スイッチ１０が、本体枠１が据え付けられる壁面１００と平行となるように設定される。このため、引き紐スイッチ１０の操作時にスイッチの可動レバーに無理な負荷が掛からず、寿命を延ばすことができる。
【符号の説明】
【００２３】
１  本体枠、１ａ  フランジ、２  電動機、３  羽根、４  スピンナー、６  シャッター、７  連結板、８  スイッチ部、９  オリフィス、１０  引き紐スイッチ（スイッチ）、１０ａ，１０ｂ  可動レバー、１１  スイッチケース、１１ａ 突起部（引掛け凸部）、１１ｂ スイッチ用ねじ穴、１１ｃ カバー用ねじ穴、１１ｄ スイッチ収納部、１１ｅ コンデンサ収納部、１１ｆ コンデンサ収納スペース、１１ｇ ヒンジ部、１１ｈ 爪部、１１ｉ 凸部、１２  前カバー、１２ａ，１５ａ，１７ 取付穴、１３  後カバー、１４  コンデンサ、１５  コーナーピース、１５ｂ ねじ穴、１６  凸部、１８  本体枠の側板部、１９  本体枠の底面部、２０  コンデンサ収納部の側面部、２１  コンデンサ収納部の底面部、３０  送風機、３１  ファンベース、１００  壁面。
【図１】
2013153574.tif 000003
【図２】
2013153574.tif 000004
【図３】
2013153574.tif 000005
【図４】
2013153574.tif 000006
【図５】
2013153574.tif 000007
【図６】
2013153574.tif 000008
【図７】
2013153574.tif 000009
【手続補正書】
【提出日】平成26年8月22日(2014.8.22)
【手続補正１】
【補正対象書類名】明細書
【補正対象項目名】０００６
【補正方法】変更
【補正の内容】
【０００６】
本発明に係る換気扇は、風路を形成する筒型の本体枠と、電動機と羽根を有し、金属で構成されて前面にフランジを有する本体枠に取り付けられた送風機と、少なくとも送風機を運転／停止させるためのスイッチが収納されて本体枠に取り付けられたスイッチケースと、スイッチケースを覆うカバーと、を備え、カバーは、スイッチケースを前面側から覆う板金製の前カバーと、スイッチケースの側面、背面を覆う板金製の後カバーとで形成されており、スイッチケースは、フランジにおける下方のコーナー部に固定されて、前側が、前カバーとフランジのコーナー部により、また後側が、後カバーと本体枠のコーナー部を形成する両壁面により、それぞれ覆われてなるものである。
【手続補正２】
【補正対象書類名】明細書
【補正対象項目名】００１２
【補正方法】変更
【補正の内容】
【００１２】
図３は本発明の実施形態に係る換気扇のスイッチ部の組立体の構成を示す斜視図である。
図３に示すように、引き紐スイッチ１０と後カバー１３とは、スイッチケース１１に設けられたスイッチ用ねじ穴１１ｃとカバー用ねじ穴１１ｂとにそれぞれねじ固定される。
【手続補正３】
【補正対象書類名】明細書
【補正対象項目名】００２３
【補正方法】変更
【補正の内容】
【００２３】
１  本体枠、１ａ  フランジ、２  電動機、３  羽根、４  スピンナー、６  シャッター、７  連結板、８  スイッチ部、９  オリフィス、１０  引き紐スイッチ（スイッチ）、１０ａ，１０ｂ  可動レバー、１１  スイッチケース、１１ａ  突起部（引掛け凸部）、１１ｃ  スイッチ用ねじ穴、１１ｂ  カバー用ねじ穴、１１ｄ  スイッチ収納部、１１ｅ  コンデンサ収納部、１１ｆ  コンデンサ収納スペース、１１ｇ  ヒンジ部、１１ｈ  爪部、１１ｉ  凸部、１２  前カバー、１２ａ，１５ａ，１７  取付穴、１３  後カバー、１４  コンデンサ、１５  コーナーピース、１５ｂ  ねじ穴、１６  凸部、１８  本体枠の側板部、１９  本体枠の底面部、２０  コンデンサ収納部の側面部、２１  コンデンサ収納部の底面部、３０  送風機、３１  ファンベース、１００  壁面。
【手続補正４】
【補正対象書類名】特許請求の範囲
【補正対象項目名】全文
【補正方法】変更
【補正の内容】
【特許請求の範囲】
【請求項１】
風路を形成する筒型の本体枠と、
電動機と羽根を有し、金属で構成されて前面にフランジを有する前記本体枠に取り付けられた送風機と、
少なくとも前記送風機を運転／停止させるためのスイッチが収納されて前記本体枠に取り付けられたスイッチケースと、
前記スイッチケースを覆うカバーと、を備え、
前記カバーは、前記スイッチケースを前面側から覆う板金製の前カバーと、該スイッチケースの側面、背面を覆う板金製の後カバーとで形成されており、
前記スイッチケースは、前記フランジにおける下方のコーナー部に固定されて、前側が、前記前カバーと前記フランジの前記コーナー部により、また後側が、前記後カバーと前記本体枠の前記コーナー部を形成する両壁面により、それぞれ覆われてなることを特徴とする換気扇。
【請求項２】
前記スイッチケースには、前記前カバーを仮固定するための引掛け凸部が設けられていることを特徴とする請求項１記載の換気扇。
【請求項３】
前記電動機は、コンデンサ型電動機で構成され、
前記スイッチケースは、前記スイッチを収納するスイッチ収納部と、前記コンデンサ型電動機のコンデンサを収納するコンデンサ収納部とで形成されていることを特徴とする請求項１又は２記載の換気扇。
【請求項４】
前記スイッチケースは、前記スイッチ収納部が、前記本体枠が据え付けられる壁面と平行となるように設定されていることを特徴とする請求項３記載の換気扇。
【国際調査報告】
2013153574.tif 000010
2013153574.tif 000011
2013153574.tif 000012
2013153574.tif 000013
2013153574.tif 000014